(57)【要約】【課題】成形された複数のクリップ相互間に表面形状のバラツキがある場合においてもクリップの支持部材に対する安定性を高めることができるクリップ、及び光源装置を提供する。【解決手段】並置される複数本のランプを挾持する複数の挾持部３２，３２を一面３１ａに有し、前記ランプが支持される支持部材に取付けるべき取付部３４，３４を他面に有する保持板部３１の、挾持部３２，３２が挾持する方向と交差する方向の両側面３１ｃ，３１ｄに、外部へ延出され、前記支持部材への押圧により撓むことが可能な可撓部３５，３５を設け、該可撓部３５，３５と前記他面とでクリップ３を安定させることができるようにした。【選択図】図３
2009104898.tif 000002
【特許請求の範囲】
【請求項１】
管状のランプを挾持する挾持部及び該挾持部を一面で保持し、前記ランプを支持する支持部材に他面が取付けられる保持板部を有するクリップにおいて、前記保持板部は、前記支持部材への押圧により撓むことが可能な可撓部を有することを特徴とするクリップ。
【請求項２】
前記可撓部は前記他面より突出している請求項１記載のクリップ。
【請求項３】
前記可撓部は前記保持板部の側面より延出されている請求項１又は２記載のクリップ。
【請求項４】
前記可撓部は、前記挾持部が挾持するランプと対向すべき位置に配してある請求項３記載のクリップ。
【請求項５】
前記可撓部は、前記挾持部がランプを挾持する方向と交差する方向の少なくとも一方の位置に配してある請求項１から４のいずれか一つに記載のクリップ。
【請求項６】
前記保持板部はスリットを有し、該スリットと前記保持板部の側面との間に前記可撓部を配してある請求項５記載のクリップ。
【請求項７】
前記保持板部は一面に凹所を有し、該凹所の底部が前記可撓部である請求項２記載のクリップ。
【請求項８】
前記保持板部は他面に凹所を有し、前記可撓部は前記保持板部と別個に形成されており、該可撓部が前記凹所に収容されている請求項２記載のクリップ。
【請求項９】
前記挾持部夫々は、並置されるランプの並置方向へ離隔して複数配してあり、該挾持部夫々の間に前記可撓部を配してある請求項１から８のいずれか一つに記載のクリップ。
【請求項１０】
前記挾持部夫々は、並置されるランプの並置方向へ離隔して複数配してあり、該挾持部夫々の側に前記可撓部を配してある請求項１から８のいずれか一つに記載のクリップ。
【請求項１１】
並置される複数本のランプと、該ランプが支持される支持部材と、請求項１から１０のいずれか一つに記載のクリップとを備えることを特徴とする光源装置。
【請求項１２】
前記支持部材は、前記可撓部と対向する位置に凸部を有する請求項１１記載の光源装置。
【発明の詳細な説明】
【技術分野】
【０００１】
本発明はランプを挾持するクリップ及び液晶表示装置等の表示装置の光源として使用される光源装置に関する。
【背景技術】
【０００２】
テレビジョン等の表示装置は、画像を表示する表示面を前側に有する表示部の後側に光源装置が配されている。
【０００３】
光源装置は、後壁に複数の貫通孔を有し、前側が開放されている箱形の支持部材と、該支持部材内に上下に並置される複数本の管状のランプと、該ランプの両端部を前記後壁に保持するホルダと、前記貫通孔に取付けられ、前記ランプの中間部を前記後壁に保持する複数のクリップとを備える（例えば、特許文献１参照）。
【０００４】
クリップは、ランプの径方向へ離隔し、該ランプを挾持する二つの挾持片と、該挾持片の一端を一面で保持する保持板部と、該保持板部の他面から延出され、前記後壁の貫通孔に挿嵌係止されることにより前記保持板部を後壁の内側に取付ける取付部とを備え、合成樹脂材料により成形されている。
【０００５】
このように構成されたクリップは、支持部材のランプ側から取付部が後壁の貫通孔へ挿嵌係止され、保持板部の他面が後壁の内面に接触した状態で前記ランプが二つの挾持片間に挿嵌挾持される。
【特許文献１】特開２００４−３２７４４９号公報
【発明の開示】
【発明が解決しようとする課題】
【０００６】
ところで、光源装置が備えるクリップは、保持板部の他面が前記後壁の内面と接触することにより、該後壁内面に対する安定性が保たれる。しかし、クリップはランプ側での受光容積を少なくし、ランプが発光した光の輝度ムラが発生し難いように比較的小形に形成されているため、成形された複数のクリップ相互間の表面形状のバラツキにより、保持板部の他面と前記後壁の内面との間に僅かな隙間が生じ、前記後壁の内面に対してクリップが不安定な状態になることがある。
【０００７】
図１６は支持部材における後壁の内面に対してクリップが不安定な状態になっている場合の説明図である。図１６のような不安定な状態で、表示装置の比較的高い音量等により発生する微振動がクリップに伝わった場合、該クリップが支持部材に対して微振動し、異音が発生したり、擦り粉が発生したりすることになり、改善策が要望されていた。また、クリップは、光源装置を備える表示装置の機種に対応して形状が微修正されている。しかし、この微修正は、既存機種用のクリップ成形型を追加加工することにより行われているため、クリップ成形型の修正作業費がクリップの単価に反映されることになり、この点でも改善策が要望されていた。
【０００８】
本発明は斯かる事情に鑑みてなされたものであり、主たる目的はランプを支持する支持部材への押圧により撓むことが可能な可撓部を保持板部に設けることにより、複数のクリップ相互間に表面形状のバラツキがある場合においてもクリップの支持部材に対する安定性を高めることができるクリップ、及び光源装置を提供することにある。
【課題を解決するための手段】
【０００９】
本発明に係るクリップは、管状のランプを挾持する挾持部及び該挾持部を一面で保持し、前記ランプを支持する支持部材に他面が取付けられる保持板部を有するクリップにおいて、前記保持板部は、前記支持部材への押圧により撓むことが可能な可撓部を有することを特徴とする。
【００１０】
この発明にあっては、クリップが支持部材に取付けられる際、保持板部の他面を支持部材に押圧することにより、保持板部に対して可撓部が撓み、該可撓部と保持板部の他面とでクリップの支持部材に対する安定性を高めることができる。従って、複数のクリップ相互間に表面形状のバラツキがある場合においても、支持部材からクリップに微振動が伝わった際に該クリップが支持部材に対して微振動したり、擦り粉が発生したりするのをなくすることが可能である。
【００１１】
また、本発明に係るクリップは、前記可撓部は前記他面より突出している構成とするのが好ましい。
この発明にあっては、可撓部を撓ませるための凸部を支持部材に設けることなく、クリップ自体で可撓部を撓ませることができるため、クリップの取付作業性を高めることができ、可撓部を撓ませるための構成を簡素にできる。
【００１２】
また、本発明に係るクリップは、前記可撓部は前記保持板部の側面より延出されている構成とするのが好ましい。
この発明にあっては、比較的硬質の合成樹脂材料で成形されたクリップであっても、可撓部を撓ませ易く、クリップの支持部材への取付作業性を高めることができる。
【００１３】
また、本発明に係るクリップは、前記可撓部は、前記挾持部が挾持するランプと対向すべき位置に配してある構成とするのが好ましい。
この発明にあっては、ランプと支持部材との間に可撓部が配されるため、可撓部による輝度ムラを考慮することなくクリップの支持部材に対する安定性を高めることができる。
【００１４】
また、本発明に係るクリップは、前記可撓部は、前記挾持部がランプを挾持する方向と交差する方向の少なくとも一方の位置に配してある構成とするのが好ましい。
この発明にあっては、隣合う複数のランプを挾持するための複数の挾持部が挾持方向へ離隔して並置され、前記挾持方向と交差する方向の寸法が比較的短いクリップであっても、挾持方向と交差する方向の他方位置の他面と可撓部とによりクリップの支持部材に対する安定性を高めることができる。
【００１５】
また、本発明に係るクリップは、前記保持板部はスリットを有し、該スリットと前記保持板部の側面との間に前記可撓部を配してある構成とするのが好ましい。
この発明にあっては、隣合う複数のランプを挾持するための複数の挾持部が挾持方向へ離隔して並置されているクリップであっても、挾持部夫々の間にスリットを設けることができるため、可撓部による大形化を回避することができる。
【００１６】
また、本発明に係るクリップは、前記保持板部は一面に凹所を有し、該凹所の底部が前記可撓部である構成とするのが好ましい。
この発明にあっては、隣合う複数のランプを挾持するための複数の挾持部が挾持方向へ離隔して並置されているクリップであっても、挾持部夫々の間に凹所を設けることができるため、可撓部による大形化を回避することができる。
【００１７】
また、本発明に係るクリップは、前記保持板部は他面に凹所を有し、前記可撓部は前記保持板部と別個に形成されており、該可撓部が前記凹所に収容されている構成とするのが好ましい。
この発明にあっては、隣合う複数のランプを挾持するための複数の挾持部が挾持方向へ離隔して並置されているクリップであっても、挾持部夫々の間に凹所を設けることができるため、可撓部による大形化を回避することができる。また、挾持部及び保持板部が比較的硬質の合成樹脂材料で成形されたクリップであっても、可撓部を撓ませ易く、支持部材への取付作業性を高めることができる。
【００１８】
また、本発明に係るクリップは、前記挾持部夫々は、並置されるランプの並置方向へ離隔して複数配してあり、該挾持部夫々の間に前記可撓部を配してある構成とするのが好ましい。
この発明にあっては、挾持部夫々に影響されることなく可撓部を配することができ、可撓部による大形化を回避することが可能である。
【００１９】
また、本発明に係るクリップは、前記挾持部夫々は、並置されるランプの並置方向へ離隔して複数配してあり、該挾持部夫々の側に前記可撓部を配してある構成とするのが好ましい。
この発明にあっては、挾持部が挾持するランプと対向する個所に可撓部を配することができるため、可撓部による輝度ムラを考慮することなくクリップの支持部材に対する安定性を高めることができる。
【００２０】
また、本発明に係る光源装置は、並置される複数本のランプと、該ランプが支持される支持部材と、前述した発明のクリップとを備えることを特徴とする。
この発明にあっては、保持板部の他面が支持部材に取付けられることにより、可撓部が支持部材へ押圧され、該可撓部が撓むため、可撓部と保持板部の他面とによりクリップを支持部材に対して安定させることができる。
【００２１】
また、本発明に係る光源装置は、前記支持部材は、前記可撓部と対向する位置に凸部を有する構成とするのが好ましい。
この発明にあっては、保持板部の一面及び他面と平行的に可撓部を配することができるため、割型だけでクリップを成形することが可能であり、成形されるクリップのコスト、ひいては複数のクリップを備える光源装置のコストを低減することができる。
【発明の効果】
【００２２】
本発明によれば、クリップが支持部材に取付けられる際、保持板部の他面を支持部材に押圧することにより、保持板部に対して可撓部が撓み、該可撓部と保持板部の他面とでクリップの支持部材に対する安定性を高めることができるため、複数のクリップ相互間に表面形状のバラツキがある場合においても、支持部材からクリップに微振動が伝わった際にクリップが支持部材に対して微振動したり、擦り粉が発生したりするのをなくすることが可能である。
【発明を実施するための最良の形態】
【００２３】
以下本発明をその実施の形態を示す図面に基づいて詳述する。
実施の形態１
図１は本発明に係る光源装置が備える支持部材の構成を示す正面図、図２は光源装置の要部の構成を示す正面図、図３は光源装置が備えるクリップの構成を示す表面側の斜視図、図４はクリップの構成を示す裏面側の斜視図、図５はクリップの構成を示すもので、(a) は平面図、(b) は正面図、(c) は底面図である。また、図６はクリップの構成を示す側面図である。
【００２４】
図示した光源装置は、直方体をなす枠部１１及び周縁部が枠部１１に結合され、該枠部１１の後側を閉鎖する後壁１２を有し、前側が開放されている箱形をなす支持部材１と、該支持部材１内に上下に並置される円管状をなす複数本のランプ２と、該ランプ２の両端部を枠部１１の内側に保持するホルダと、前記ランプ２の中間部を後壁１２に保持する複数のクリップ３とを備え、支持部材１の内面部は、ランプ２が発光した光を支持部材１の開放部側に反射させるべき反射面になっている。この反射面はコーティング層及び反射シートを含んでいる。
【００２５】
支持部材１の後壁１２にはランプ２夫々の長手方向中央部と対向する位置で、且つランプ２の並置方向へ離隔した位置にクリップ取付用の複数の貫通孔１３が開設されている。貫通孔１３は丸形をなしており、ランプ２の本数に対応して設けられている。
【００２６】
ランプ２は両端部に電極を有する冷陰極管であり、夫々のランプ２の電極にインバータ回路基板が接続され、パルス幅変調信号により明るさが制御されるように構成されている。
【００２７】
クリップ３は支持部材１の反射面に対向し、矩形をなす保持板部３１と、ランプの並置間隔と等間隔で保持板部３１の一面３１ａに突設され、隣合う２本のランプ２，２の中間部が嵌合挾持される二つの挾持部３２，３２と、該挾持部３２，３２の間の中央部で、前記一面３１ａに突設された柱形突起３３と、保持板部３１の他面３１ｂに挾持部３２，３２とほぼ等間隔で突設され、貫通孔１３に挿嵌係止される二つの取付部３４，３４と、挾持部３２，３２の間の中央部で、保持板部３１の両側面３１ｃ，３１ｄから外部へ延出されている二つの可撓部３５，３５とを有し、耐熱性及び光反射性に優れているポリカーボネイトにより一体成形されている。
【００２８】
保持板部３１はランプ２が発光した光の輝度ムラが発生し難いように、挾持部３２，３２が挾持する方向と交差する方向の側面３１ｃ，３１ｄ間距離を比較的短くし、ランプ２側での受光容積を少なくしてある。図３〜図５では保持板部３１の側面３１ｃ，３１ｄ間距離は挾持部３２，３２間の距離に対し１／３程度の短い距離になっている。
【００２９】
挾持部３２，３２はランプ２の並置方向へ離隔して対向し、ランプ２を挾持する二つの挾持片を有する。取付部３４，３４は前記他面３１ｂに連なる板状の突片の先端に二つの爪部を有し、爪部が貫通孔１３の孔縁部に係止される。柱形突起３３は略円錐形をなし、挾持部３２，３２より取付部３４，３４と反対方向へ延出されている。
【００３０】
可撓部３５，３５は保持板部３１の両側面３１ｃ，３１ｄに連なり、保持板部３１の厚さとほぼ等しい厚さでランプ２の長手方向（挾持部が挾持する方向と交差する方向）へ延出されている延出片３５ａと、該延出片３５ａの先端に連なる円板部３５ｂと、該円板部３５ｂの前記他面３１ｂ側に突設された球形の凸部３５ｃとを有し、該凸部３５ｃが後壁１２の内面へ押圧されることにより延出片３５ａが前記一面３１ａ側へ撓むように構成されている。凸部３５ｃは前記他面３１ｂに対して僅かに突出している。
【００３１】
図７はクリップ３が支持部材１の貫通孔１３に取付けられた状態を示す断面図、図８はクリップ３の支持部材１への取付けにより可撓部３５，３５が撓んでいる状態を示す側面図である。
【００３２】
以上のように構成された光源装置は、クリップ３の柱形突起３３を摘み、取付部３４，３４の先端を支持部材１の貫通孔１３へ挿入した状態で保持板部３１を後壁１２側へ押圧することにより、取付部３４，３４を貫通孔１３へ挿嵌係止することができる。この際、保持板部３１の両側面に突設されている二つの可撓部３５，３５の凸部３５ｃ，３５ｃと、保持板部３１の他面３１ｂとが後壁１２の内面と接触し、保持板部３１の前記押圧により延出片３５ａ，３５ａが後壁１２と離隔する方向へ撓み、クリップ３の支持部材１に対する安定性が高くなる。因って、複数のクリップ相互間に表面形状のバラツキがある場合においても、支持部材１からクリップ３に微振動が伝わった際に該クリップ３が支持部材１に対して微振動したり、擦り粉が発生したりするのをなくすることができる。
【００３３】
以上のように支持部材１の貫通孔１３にクリップ３が取付けられた後、支持部材１内に複数本のランプ２が並置され、ホルダを支持部材１内に取付けることによりランプ２の両端部が支持部材１内に保持されるとともに、ランプ２の中間部がクリップ３の挾持部３２，３２に挿嵌挾持される。
【００３４】
図９は光源装置を備える表示装置の構成を示す断面図である。光源装置Ａは例えば液晶テレビジョン等の液晶表示装置Ｂに使用される。
【００３５】
液晶表示装置Ｂは、前側に表示面を有し略直方体をなすパネル部４と、該パネル部４の後側に配置された拡散板等の光学シート５と、該光学シート５の後側に配置された光源装置Ａと、パネル部４の周縁部及び光源装置Ａの後側を被覆するキャビネット６とを有する。光学シート５はランプ２が発生した光を拡散してパネル部４に照射するもので、光源装置Ａにおける支持部材１の開放端に周縁部が支持されており、中央部と適宜に離隔してクリップ３の柱形突起３３が対向している。
【００３６】
図１０は本発明に係る光源装置が備えるクリップ３の他の構成を示すもので、(a) は斜視図、(b) は平面図である。このクリップ３は保持板部３１の挾持部３２，３２間に可撓部３５，３５を配する代わりに、保持板部３１の挾持部３２，３２側の夫々に二つの可撓部３５，３５を配し、取付部３４，３４が支持部材１の貫通孔１３に取付けられた際、ランプ２と支持部材１との間に可撓部３５，３５が配されるように構成したものである。
【００３７】
可撓部３５，３５は保持板部３１の長手方向両端部の両側面３１ｃ，３１ｄから延出されている。
【００３８】
このクリップ３にあっては、取付部３４，３４が貫通孔１３へ挿嵌係止された際、保持板部３１の挾持部３２，３２側に配されている四つの可撓部３５の凸部３５ｃ夫々と、保持板部３１の他面３１ｂとが後壁１２の内面と接触し、保持板部３１の前記押圧により延出片３５ａ夫々が後壁１２に対し一面３１ａ側へ撓み、クリップ３の支持部材１に対する安定性がより一層高くなる。また、可撓部３５，３５はランプ２と後壁１２との間に隠れることになり、ランプ２が発光する光の輝度ムラを考慮する必要がない。
その他の構成及び作用は図３〜図８に示すクリップと同様であるため、同様の部品については同じ符号を付し、その詳細な説明及び作用効果の説明を省略する。
【００３９】
図１１は本発明に係る光源装置が備えるクリップ３の他の構成を示す平面図である。このクリップ３は保持板部３１の側面３１ｃ，３１ｄに可撓部３５，３５を設ける代わりに、保持板部３１の挾持部３２，３２が挾持する方向側端面に、延出された可撓部３６，３６を設けたものである。
【００４０】
可撓部３６，３６は保持板部３１の端面に連なり、保持板部３１の厚さとほぼ等しい厚さでランプ２の径方向（挾持部が挾持する方向）へ延出されている延出片３６ａと、該延出片３６ａの先端に連なり、ランプ２の長手方向へ延出されている枝片３６ｂと、該枝片３６ｂにランプ２の長手方向へ離隔して突設された球形の凸部３６ｃとを有し、該凸部３６ｃが後壁１２の内面へ押圧されることにより延出片３６ａが前記一面３１ａ側へ撓むように構成されている。
その他の構成及び作用は図３〜図８に示すクリップと同様であるため、同様の部品については同じ符号を付し、その詳細な説明及び作用効果の説明を省略する。
【００４１】
図１２は本発明に係る光源装置が備えるクリップ３の他の構成を示す平面図である。このクリップ３は保持板部３１の側面又は端面から突出する可撓部３５，３６に代えて、保持板部３１の挾持部３２，３２間に、一面３１ａ及び他面３１ｂを貫通するスリット３１ｅ，３１ｅを設け、該スリット３１ｅ，３１ｅと側面３１ｃ，３１ｄとの間の部片を可撓部３７，３７としたものである。
【００４２】
スリット３１ｅ，３１ｅは、側面３１ｃ，３１ｄに連なり、互いに反対方向へ延びる略Ｌ字形をなしており、可撓部３７，３７は、先部が他面３１ｂ側へ若干突出している。
【００４３】
このクリップ３にあっては、取付部３４，３４が貫通孔１３へ挿嵌係止された際、保持板部３１の挾持部３２，３２間に配されている二つの可撓部３７，３７の先部と、保持板部３１の他面３１ｂとが後壁１２の内面と接触し、保持板部３１の前記押圧により可撓部３７，３７が後壁１２と離隔する方向へ撓み、クリップ３の支持部材１に対する安定性が高くなる。また、可撓部３７，３７は保持板部３１の周面から突出することなく形成されているため、保持板部３１を小形化できる。
その他の構成及び作用は図３〜図８に示すクリップと同様であるため、同様の部品については同じ符号を付し、その詳細な説明及び作用効果の説明を省略する。
【００４４】
図１３は本発明に係る光源装置が備えるクリップ３の他の構成を示すもので、(a) は平面図、(b) は中央の拡大断面図である。このクリップ３は保持板部３１の側面又は端面から突出する可撓部３５，３６に代えて、保持板部３１の挾持部３２，３２間で、挾持部３２，３２が挾持する方向と交差する両側の一面３１ａに、底部が可撓の薄肉となる凹所３１ｆ，３１ｆを設け、該凹所３１ｆ，３１ｆの底部を可撓部３８，３８としたものである。この可撓部３８，３８は他面より外部へ若干突出しており、また、僅かに湾曲している。
【００４５】
このクリップ３にあっては、取付部３４，３４が貫通孔１３へ挿嵌係止された際、保持板部３１の挾持部３２，３２間に配されている二つの可撓部３８，３８と、保持板部３１の他面３１ｂとが後壁１２の内面と接触し、保持板部３１の前記押圧により可撓部３８，３８が後壁１２と離隔する方向へ撓み、クリップ３の支持部材１に対する安定性が高くなる。また、可撓部３８，３８は保持板部３１の周面から突出することなく形成されているため、保持板部３１を小形化できる。
その他の構成及び作用は図３〜図８に示すクリップと同様であるため、同様の部品については同じ符号を付し、その詳細な説明及び作用効果の説明を省略する。
【００４６】
図１４は本発明に係る光源装置が備えるクリップ３の他の構成を示すもので、(a) は底面図、(b) は中央の拡大断面図である。このクリップ３は保持板部３１の側面又は端面から突出する可撓部３５，３６に代えて、保持板部３１の挾持部３２，３２間で、挾持部３２，３２が挾持する方向と交差する両側の他面３１ｂに凹所３１ｇ，３１ｇを設け、該凹所３１ｇ，３１ｇに、可撓性を有する材料により別途に形成された可撓部３９，３９を一部が突出するように収容したものである。
【００４７】
このクリップ３にあっては、取付部３４，３４が貫通孔１３へ挿嵌係止された際、保持板部３１の挾持部３２，３２間に配されている二つの可撓部３９，３９と、保持板部３１の他面３１ｂとが後壁１２の内面と接触し、保持板部３１の前記押圧により可撓部３９，３９が後壁１２と離隔する方向へ撓み、クリップ３の支持部材１に対する安定性が高くなる。また、可撓部３９，３９は保持板部３１の周面から突出することなく形成されているため、保持板部３１を小形化できる。
その他の構成及び作用は図３〜図８に示すクリップと同様であるため、同様の部品については同じ符号を付し、その詳細な説明及び作用効果の説明を省略する。
【００４８】
図１５は本発明に係る光源装置の他の構成を示す要部の拡大断面図である。この光源装置は、クリップ３の可撓部３５，３５が、保持板部３１の他面３１ｂより外部へ突出する凸部３５ｃを有する構成とする代わりに、図２〜図８，図１０，図１１に示す可撓部３５，３５は保持板部３１の他面３１ｂより外部へ突出しない構成とし、支持部材１における後壁１２の可撓部３５，３５と対向する位置に凸部１４，１４を設け、取付部３４，３４が貫通孔１３に挿嵌係止された際、可撓部３５，３５が凸部１４，１４に押圧され、可撓部３５，３５が撓むように構成したものである。凸部１４，１４は僅かに突出する高さに形成されており、また、可撓部３５，３５の先端部と対向する位置に配されている。
その他の構成及び作用は図３〜図８に示すクリップと同様であるため、同様の部品については同じ符号を付し、その詳細な説明及び作用効果の説明を省略する。
【００４９】
尚、以上説明した実施の形態では二つの挾持部３２を有し、２本のランプ２を挾持するクリップ３について説明したが、その他、クリップ３は一つの挾持部３２を有し、１本のランプ２を挾持する構成としてもよく、また、三つ以上の挾持部３２を有し、３本以上のランプ２を挾持する構成としてもよい。一つの挾持部３２を有するクリップ３にあっては、挾持部３２が挾持する方向と交差する側に可撓部３５，３５が設けられる。
【００５０】
また、以上説明した実施の形態では、挾持部３２，３２が挾持する方向と交差する方向の両側に可撓部３５，３５を設けたが、その他、挾持する方向と交差する方向の一側にだけ一つ又は複数の可撓部３５，３７〜３９を設けた構成としてもよい。この場合、挾持する方向と交差する方向の他側の他面３１ｂと可撓部３５，３７〜３９とによりクリップ３の安定性を高めることができる。
【００５１】
また、以上説明した実施の形態では保持板部３１の他面３１ｂに二つの取付部３４，３４を有する構成としたが、その他、例えば挾持部３２，３２間の他面３１ｂに一つの取付部３４を有する構成としてもよい。また、取付部３４は図示したように突起状である他、例えば支持部材１の後壁１２に内側へ突設される嵌合凸部に嵌合される嵌合孔としてもよく、取付部３４の構成は特に制限されない。
【００５２】
また、以上説明した実施の形態のクリップは、図１４の可撓部３９を除いてポリカーボネイトにより一体成形されているが、その他、ポリカーボネイト以外の合成樹脂材料により成形されている構成としてもよい。また、柱形突起３３を有する構成としたが、その他、柱形突起３３は必ずしも必要でない。
【図面の簡単な説明】
【００５３】
【図１】本発明に係る光源装置が備える支持部材の構成を示す正面図である。
【図２】本発明に係る光源装置の要部の構成を示す正面図である。
【図３】本発明に係るクリップの構成を示す表面側の斜視図である。
【図４】本発明に係るクリップの構成を示す裏面側の斜視図である。
【図５】本発明に係るクリップの構成を示すもので、(a) は平面図、(b) は正面図、(c) は底面図である。
【図６】本発明に係るクリップの構成を示す側面図である。
【図７】本発明に係るクリップが支持部材の貫通孔に取付けられた状態を示す断面図である。
【図８】本発明に係るクリップの支持部材への取付けにより可撓部が撓んでいる状態を示す側面図である。
【図９】本発明に係る光源装置を備える表示装置の構成を示す断面図である。
【図１０】本発明に係る光源装置が備えるクリップの他の構成を示すもので、(a) は斜視図、(b) は平面図である。
【図１１】本発明に係る光源装置が備えるクリップの他の構成を示す平面図である。
【図１２】本発明に係る光源装置が備えるクリップの他の構成を示す平面図である。
【図１３】本発明に係る光源装置が備えるクリップの他の構成を示すもので、(a) は平面図、(b) は中央の拡大断面図である。
【図１４】本発明に係る光源装置が備えるクリップの他の構成を示すもので、(a) は底面図、(b) は中央の拡大断面図である。
【図１５】本発明に係る光源装置の他の構成を示す要部の拡大断面図である。
【図１６】従来において支持部材における後壁の内面に対してクリップが不安定な状態になっている場合の説明図である。
【符号の説明】
【００５４】
１    支持部材
１４  凸部
２    ランプ
３    クリップ
３１  保持板部
３１ａ  一面
３１ｂ  他面
３１ｃ，３１ｄ  側面
３１ｅ  スリット
３１ｆ，３１ｇ  凹所
３２  挾持部
３４  取付部
３５〜３９  可撓部
【図１】
2009104898.tif 000003
【図２】
2009104898.tif 000004
【図３】
2009104898.tif 000005
【図４】
2009104898.tif 000006
【図５】
2009104898.tif 000007
【図６】
2009104898.tif 000008
【図７】
2009104898.tif 000009
【図８】
2009104898.tif 000010
【図９】
2009104898.tif 000011
【図１０】
2009104898.tif 000012
【図１１】
2009104898.tif 000013
【図１２】
2009104898.tif 000014
【図１３】
2009104898.tif 000015
【図１４】
2009104898.tif 000016
【図１５】
2009104898.tif 000017
【図１６】
2009104898.tif 000018